(57)【要約】ＭＧＷターミネーションの効率的な変更はメディアゲートウェイコントローラ（ＭＧＣ）からメディアゲートウェイ（ＭＧＷ）へのこのメディアゲートウェイ（ＭＧＷ）の有効データコネクション区間ターミネーションのコーディングの変更のための命令のシグナリングのための方法によって可能となり、ターミネーションのコーディングの変更のための複数の命令の入力の後で時間的に初めてターミネーションのコネクタビリティの検査を実施することをメディアゲートウェイ（ＭＧＷ）に指示する命令がメディアゲートウェイコントローラ（ＭＧＣ）からメディアゲートウェイ（ＭＧＷ）へシグナリングされる。
2005532719.tif 000002
【特許請求の範囲】
【請求項１】
メディアゲートウェイコントローラ（ＭＧＣ）からメディアゲートウェイ（ＭＧＷ）へのこのメディアゲートウェイ（ＭＧＷ）の有効データコネクション区間ターミネーションのコーディングの変更のための命令（２）のシグナリングのための方法において、
それぞれ少なくとも１つのターミネーション（ターミネーションＡ、ターミネーションＢ）のコーディングの変更のための複数の命令（２；５）の入力の後で時間的に初めて前記ターミネーション（ターミネーションＡ、ターミネーションＢ）のコネクタビリティの検査を実施する命令（２）がメディアゲートウェイコントローラ（ＭＧＣ）からメディアゲートウェイ（ＭＧＷ）へシグナリングされる、メディアゲートウェイコントローラ（ＭＧＣ）からメディアゲートウェイ（ＭＧＷ）へのこのメディアゲートウェイ（ＭＧＷ）の有効データコネクション区間ターミネーションのコーディングの変更のための命令（２）のシグナリングのための方法。
【請求項２】
ターミネーションに対する変更のための命令を受け取った後でターミネーションのコネクタビリティの上記検査が行われるまでは、メディアゲートウェイ（ＭＧＷ）は当該ターミネーションからの及び当該ターミネーションへの有効データをもはや伝達しないことを特徴とする、請求項１記載の方法。
【請求項３】
メディアゲートウェイ（ＭＧＷ）がメディアゲートウェイコントローラ（ＭＧＣ）からもう１つの接続されたターミネーション（ターミネーションＡ）のコーディングの変更のための（５における）少なくとも１つの命令を受け取るまではターミネーション（ターミネーションＡ、ターミネーションＢ）のコネクタビリティの検査を先に延ばす（２における）命令をメディアゲートウェイ（ＭＧＷ）はメディアゲートウェイコントローラ（ＭＧＣ）から受け取ることを特徴とする、請求項１又は２記載の方法。
【請求項４】
接続された全てのターミネーションに対してこれらのターミネーションを変更する命令（２及び５）をメディアゲートウェイ（ＭＧＷ）が受け取った場合に、ようやく前記メディアゲートウェイ（ＭＧＷ）は検査を開始することを特徴とする、請求項１〜３のうちの１項記載の方法。
【請求項５】
メディアゲートウェイ（ＭＧＷ）がターミネーションのコネクタビリティの検査を開始する（５における）命令を受け取る場合に、メディアゲートウェイ（ＭＧＷ）はようやく検査を開始することを特徴とする、請求項１〜４のうちの１項記載の方法。
【請求項６】
メディアゲートウェイ（ＭＧＷ）にはターミネーションのコネクタビリティの検査を先に延ばす（２における）命令がメッセージ（２；３）においてシグナリングされ、該メッセージによって前記メディアゲートウェイ（ＭＧＷ）には該メディアゲートウェイ（ＭＧＷ）における少なくとも１つのターミネーション（ターミネーションＡ、ターミネーションＢ）に対してコーディングを変更すべきであるとメッセージされることを特徴とする、請求項１〜５のうちの１項記載の方法。
【請求項７】
メディアゲートウェイ（ＭＧＷ）は、変更のためのメディアゲートウェイコントローラ（ＭＧＣ）の命令の受領の後で直ぐに当該ターミネーションをアイソレートするのではなく、この命令に続く別個のシグナリングを介して有効コネクション区間の他の端部における（ＭＧＷ）スイッチングノードによってコーディングの切り替えを指示されて初めてアイソレートすることを特徴とする、請求項１〜６のうちの１項記載の方法。
【請求項８】
メディアゲートウェイ（ＭＧＷ）は、コネクションを、請求項１に記載の検査の後で直ぐに再び形成するのではなく、付加的に別個のシグナリングを介して再び接続すべき有効コネクション区間の他の端部における（ＭＧＷ）スイッチングノードによってこれらのターミネーションにおけるコーディングの切り替えが指示されてはじめて再び形成することを特徴とする、請求項１〜７のうちの１項記載の方法。
【請求項９】
メディアゲートウェイ（ＭＧＷ）は請求項１に記載の検査において、このメディアゲートウェイ（ＭＧＷ）が元々接続されていたターミネーション（ターミネーションＡ、ターミネーションＢ）をその新しいコーディングにおいて互いに接続できないことを検出する場合には、前記メディアゲートウェイ（ＭＧＷ）はこれらのターミネーションをその古いコーディングにおいて再び互いに接続することを特徴とする、請求項１〜８のうちの１項記載の方法。
【請求項１０】
メディアゲートウェイ（ＭＧＷ）は、エラーメッセージを最後のターミネーションの変更のための命令に対する返答としてメディアゲートウェイコントローラ（ＭＧＣ）に伝送し、該メディアゲートウェイコントローラ（ＭＧＣ）はこの場合ＢＩＣＣ，Ｑ．１９０２．４において存在する機構を利用して有効コネクションの変更を拒否することを特徴とする、請求項１〜９のうちの１項記載の方法。
【請求項１１】
請求項１に記載された検査を先に延ばす命令（２；５）に対する音声エレメントとして既存の命令の拡張がターミネーションの変更のために使用されることを特徴とする、請求項１〜１０のうちの１項記載の方法。
【請求項１２】
音声エレメントはいわゆるＨ．２４８「コンテクスト」の特性であることを特徴とする、請求項１０記載の方法。
【請求項１３】
音声エレメントはいわゆるＨ．２４８「ターミネーション」の特性であることを特徴とする、請求項１０記載の方法。
【請求項１４】
メディアゲートウェイコントローラ（ＭＧＣ）がコーディングをターミネーションにおいて変更する前に、前記メディアゲートウェイコントローラ（ＭＧＣ）は独自の命令によってターミネーションをアイソレートし、さらに前記メディアゲートウェイコントローラ（ＭＧＣ）が１つ又は複数の他の元々接続されていたターミネーションにおいてもコーディングを変更した後で、前記メディアゲートウェイコントローラ（ＭＧＣ）がアイソレートされた前記ターミネーションを再び更に別の独自の命令によって接続することを特徴とする、請求項１〜１３のうちの１項記載の方法。
【請求項１５】
メディアゲートウェイコントローラ（ＭＧＣ）はターミネーションを別のいわゆるＨ．２４８「コンテクスト」に移動させることによってアイソレートすることを特徴とする、請求項１〜１４のうちの１項記載の方法。
【請求項１６】
メディアゲートウェイコントローラ（ＭＧＣ）はいわゆるＱ．１９５０命令「アイソレート」及び「ジョイン」を使用することを特徴とする、請求項１〜１５のうちの１項記載の方法。
【請求項１７】
ターミネーションはメディアゲートウェイにおいて終わっている遠隔通信ネットワークの有効データコネクション区間のターミネーションであることを特徴とする、請求項１〜１６のうちの１項記載の方法。
【請求項１８】
請求項１〜１７のうちの１項記載の方法を実施するための装置。
【発明の詳細な説明】
【技術分野】
【０００１】
本発明は、メディアゲートウェイコントローラからメディアゲートウェイへのこのメディアゲートウェイにおける有効データコネクション区間のコーディングの変更のシグナリングのための方法及び装置に関する。
【０００２】
ＩＴＵ−ＴプロトコルＨ．２４８及びＱ．１９５０ではいわゆる「メディアゲートウェイ」（＝ＭＧＷ＝とりわけセルラー移動無線ネットワーク又は固定ネットワークにおけるスイッチング装置）の制御がいわゆる「メディアゲートウェイコントローラ」（＝メディアゲートウェイ制御部＝ＭＧＣ）によって規定されている。プロトコルＱ．１９５０は同様にＩＴＵ−Ｔにより規定されたＢＩＣＣプロトコルＱ．１９０２．４と共に使用される。これらのプロトコルは３ＧＰＰアプリケーションにも使用可能である。メディアゲートウェイはとりわけ遠隔通信ネットワークの（音声、テクスト、マルチメディアのような有効データの伝送のための）有効コネクション区間を接続し、場合によっては異なるコーディング、例えばＧ．７１１又はＡＭＲのような音声コーディングを互いに変換する。以下において、有効コネクション区間ターミネーション、短縮してターミネーションとは、ＭＧＷにおけるこのＭＧＷによってスイッチングされる例えば音声又はマルチメディア（音及び画像）のための有効コネクションの区間のターミネーションであると理解してほしい。ＭＧＷはこのターミネーションによって有効コネクションに所属する（有効）データを送信及び／又は受信する。プロトコルＨ．２４８及びＱ．１９５０の用語法においては、いわゆる「ターミネーション」がこの有効コネクション区間ターミネーションに相応する。
【０００３】
上記のプロトコルによって、例えば別のコーディングの選択によって既存の有効コネクションを変更することが可能になる。ＭＧＣとＭＧＷとの間のこの際に利用されるシグナリング（プロトコルＨ．２４８及びＱ．１９５０）は、ＭＧＷへの各ターミネーションがＭＧＷ内部でこれに接続された他のターミネーションに依存せずに変更されるように作られている。例えば、ＭＧＷは、このターミネーションにおいて別のコーディングを使用することを又はデータを送信しないことを及び／又は受信しないことを指示されうる。ＭＧＷは、ターミネーションの変更の際に、引き続きこの変更によってこのターミネーションと接続される別のターミネーションも変更されるのかどうかを知らない。それゆえ、これによって接続されたターミネーション（プロトコルＨ．２４８及びＱ．１９５０の用語法においてはＭＧＷ内部で互いに接続されたターミネーションはいわゆる共通の「コンテクスト」にある）において異なるコーディングが生じる場合には、ＭＧＷはターミネーションの変更の際に直ぐに手段を講じて、これらのコーディングを例えばいわゆるトランスコーディングによって互いに変換しなければならない。しかし、特別なケースでは、同一の「コンテクスト」にあるＭＧＷに互いに接続された全てのターミネーションのコーディングは例えばいわゆるＢＩＣＣ「コーデック変更（Codec Modification）」又は「コーデック再交渉（Codec Renegotiation）」（Ｑ．１９０２．４参照）の枠内でほぼ同時に変更されるべきである。このいわゆるＢＩＣＣ「コーデック変更（Codec Modification）」又は「コーデック再交渉（Codec Renegotiation）」によって存在する音声コネクションのコーディングは変更されうる。３ＧＰＰは既存の有効コネクションを音声とマルチメディア（すなわち共通コーディングにおける音声と画像の組み合わせ）との間で切り替えるために上記のＢＩＣＣプロシージャも付加的に利用する。ＭＧＣはこのような状況をこのＭＧＣに入力されるいわゆる「コールコントロール（Call Control）」シグナリング、例えばＱ．１９０２．４に基づいて識別することができる。ＭＧＣのＭＧＷへのシグナリングはシーケンシャルに行われるので、ＭＧＷ内部の全ての接続されたターミネーションのほぼ同時的な切り替えの際にこの場合あるいは望ましくない挙動が生じる。すなわちＭＧＷはトランスコーダを短時間活性化し、このトランスコーダはほぼ直ぐに再び不活性化される。これによって不必要な作動負荷がＭＧＷにおいて発生され、そのスループットが低下する。短期間コネクションを中断することは、容認されるだろうが、しかし、これまでは技術的には可能ではなかった。さらに、ＭＧＷは、第１のターミネーションの変更の際に場合によってはこのターミネーションの新しいコーディングを１つの／複数の他のターミネーションにおいてまだ使用されているコーディングには変換できないことを検出する。これは例えば音声コネクションとマルチメディアコネクション又は一般的なデータコネクションとの間で切り替えが行われる場合に生じうる。そのため、この場合、ＭＧＷはＨ．２４８／Ｑ．１９５０シグナリングを介する有効コネクションの変更を拒否する。
【０００４】
本発明の課題は、メディアゲートウェイコントローラの指示に基づくメディアゲートウェイにあるターミネーションにおけるコーディングのできるだけ効率的な切り替えを可能にし、メディアゲートウェイが互いに変換できないコーディング間の切り替えを可能にすることである。上記課題は、それぞれ独立請求項の対象により解決される。本発明によれば、ＭＧＷへのトランスコーダの短時間のオン及びオフによる不必要な作動負荷は、メディアゲートウェイコントローラがメディアゲートウェイに適当なシグナリングによって、ターミネーションのコーディングの変更のための複数の命令の入力（及び場合によっては比較のスタートのための明示的な命令の受領）の後で初めてターミネーションのコネクタビリティの検査を実施するように指示することによって回避される（なぜなら、トランスコーダのスイッチオンは、接続すべき／接続されたターミネーションがコーディング変更の間にもはや同一のコーディングを使用しないことを示す比較の後ではじめて行われるからであり、このようなことはこの場合生じないからである）。ＭＧＷがトランスコーディングをサポートしない有効コネクション間の切り替えが可能になる。これによって、とりわけ音声及びマルチメディアに対する有効コネクション間の切り替えが可能になる。
【０００５】
とりわけ有利には次のような実施形態がある：
１．Ｈ．２４８／Ｑ．１９５０プロトコルにおいて、ターミネーションの変更のためのシグナリングの際には付加的に１つ又は複数の音声エレメントが使用され、この１つ又は複数の音声エレメントによってＭＧＣはＭＧＷに、ＭＧＷ内部で接続された複数のターミネーションの変更のための命令の入力の後にはじめてターミネーションをその新しいコーディングにおいて互いに接続しうるかを検査するように指示する。
【０００６】
２．１の有利な実施形態では、ＭＧＷはターミネーションに対する変更のための命令を受け取った後では、ＭＧＷは当該ターミネーションから及び当該ターミネーションへ有効データを転送しない。１に記載された検査の後で、ＭＧＷは当該ターミネーションの間のコネクションを再び形成する。
【０００７】
３．１及び２の有利な実施形態では、ＭＧＷは変更のためのＭＧＣの命令の受領の後で直ぐに当該ターミネーションをアイソレートするのではなく、この命令に続く別個のシグナリングを介して有効コネクション区間の他の端部における（ＭＧＷ）スイッチングノードによってコーディングの切り替えを指示されて初めてアイソレートする。これによって、有効コネクションは比較的短い期間だけ中断される。
【０００８】
４．１〜３までの有利な実施形態では、ＭＧＷは、コネクションを、１に記載された検査の後に直ぐに再び形成するのではなく、付加的に別個のシグナリングを介して再び接続すべき有効コネクション区間の他の端部における（ＭＧＷ）スイッチングノードによってこれらのターミネーションにおけるコーディングの切り替えが指示されてはじめて再び形成する。
【０００９】
５．１及び２の有利な実施形態では、ＭＧＷは、１に記載の検査において元々接続されていたターミネーションをその新しいコーディングにおいて互いに接続できない場合には、これらのターミネーションをその古いコーディングにおいて再び互いに接続する。ＭＧＷはこのエラーケースをＭＧＣに付加的にシグナリングすることができる。
【００１０】
６．５の有利な実施形態では、ＭＧＷは、相応のエラーメッセージを最後のターミネーションの変更の命令に対する返答としてＭＧＣに伝送する。このＭＧＣはこの場合ＢＩＣＣ，Ｑ．１９０２．４及びＱ．１９５０において既に存在する機構を利用して有効コネクションの変更を拒否することができる。
【００１１】
７．１及び２の有利な実施形態では、音声エレメントとして既存の命令の拡張がターミネーションの変更のために使用される。
【００１２】
８．７の有利な実施形態では、この拡張はターミネーションに対する第１の相応の命令において含まれるべきである。接続されたターミネーションに対する最後の相応の命令の入力の際にはじめてＭＧＷはターミネーションをその新しいコーディングにおいて互いに接続しうるかを検査すべきである。この解決策はＢＩＣＣの既存のメッセージフローに良好に挿入される。付加的なメッセージは必要ではなく、単に既存のメッセージの内部に新しい音声エレメントが必要である。
【００１３】
９．８の有利な実施形態では、新しい付加される音声エレメントは元々接続されていたターミネーションの変更のためのあらゆる命令に含まれうる。これによってＭＧＣ及びＭＧＷのタスクが簡略化される。
【００１４】
１０．８の代わりに、７の有利な実施形態では、拡張は第１の命令に及び選択的に接続されたターミネーションの変更のための更なる命令にも含まれる。この拡張はＭＧＷに付加的な拡張を有する命令が入力されるまでは１に記載の検査を実施しないように指示する。この付加的な拡張がＭＧＷに１に記載の検査を実施するように指示する。
【００１５】
１１．７の有利な実施形態では、新しく挿入される音声エレメントはいわゆるＨ．２４８「コンテクスト」の特性である。
【００１６】
１２．１１の代わりに、７の有利な実施形態では、新しく挿入される音声エレメントはいわゆるＨ．２４８「ターミネーション」の特性である。
【００１７】
１３．７の代わりに、１及び２の有利な実施形態では、ＭＧＣがターミネーションにおけるコーディングを変更する前に、このＭＧＣは独自の命令によってターミネーションをアイソレートする。このＭＧＣが１つ又は複数の他の元々接続されていたターミネーションにおいてもコーディングを変更した後で、このＭＧＣがアイソレートされたターミネーションを再び更に別の独自の命令によって接続する。
【００１８】
１４．１３の有利な実施形態ではＭＧＣはターミネーションを別のいわゆるＨ．２４８「コンテクスト」に移動させることによってアイソレートすることができる。
【００１９】
１５．１３及び１４の有利な実施形態では、ＭＧＣはいわゆるＱ．１９５０命令「アイソレート」及び「ジョイン（join）」を使用することができる。
【００２０】
本発明の更に別の特徴的構成及び利点は請求項及び図面に基づく実施例の以下の記述から得られる。ここで
図１は例示的に１つのコーディングからもう１つのコーディングへの有効コネクションの本発明による切り替えにおけるＢＩＣＣメッセージフローを示す。
【００２１】
図１では、数字はこれらによって示されるメッセージの時間的な順番を示す。エレメント「ターミネーションＡ」及び「ターミネーションＢ」の枠内のメッセージはそれぞれＭＧＣからＭＧＷへのメッセージに関連し、これらのメッセージは相応するターミネーションに関し、とりわけ相応するターミネーションの変更すべきコーディングに関する。メッセージ２、３、４、５、７及び９はそれぞれ（わかりやすくするために示されていない）これらのすぐ後に続く逆方向のメッセージによって確認応答される。ＭＧＷは「メディアゲートウェイ」であり、すなわち遠隔通信ネットワークにおけるスイッチング装置であり、１つ又は複数の更に別のＭＧＷとパケット及び／又はラインスイッチングされて有効データ（音声、テクスト、マルチメディア）及び／シグナリングデータの伝送のために接続（３，７）されている。
【００２２】
ＭＧＣは制御部であり、この制御部はＭＧＷを制御し（ＭＧＣ＝「メディアゲートウェイコントローラ」）、１つ又は複数の更に別のＭＧＣとシグナリングデータ（１、６、８、１０）の送信及び受信のために接続される。
【００２３】
ターミネーション「ターミネーションＡ」及び「ターミネーションＢ」（＝有効コネクション区間ターミネーション）は、例えばＭＧＷにおける音声又はマルチメディア（音及び画像）のためのＭＧＷによってスイッチされる有効コネクションの区間のターミネーションである。ＭＧＷはこのターミネーションによって他のＭＧＷへ／から有効コネクションに所属する（有効）データを送信及び／又は受信する。よって、これらのターミネーション「ターミネーションＡ」及び「ターミネーションＢ」を介して、それぞれ有効データが到着し及び／又はそれぞれ有効データが送信される。
【００２４】
ここに示されたケースでは、ＭＧＣは、有効コネクションに対して使用されるコーディング（例えば音声コーデック）を変更する指示１（コーデックを変更せよ＝Modify Codec）を受け取る。ＭＧＣは、この有効コネクションがＭＧＷによってターミネーション「ターミネーションＡ」及び「ターミネーションＢ」を介して図１においてスイッチされることを知り、さらにそのためにＭＧＣはＭＧＷにこれらのターミネーションを変更するように指示しなければならないことを知る。このためにＭＧＣは次に新たな音声エレメントを有するメッセージ２（Ｑ．１９５０「特性をリザーブせよ（Reserve Characteristics）」）及び５（Ｑ．１９５０「特性を変更せよ（Modify Characteristics）」）を使用する。
【００２５】
指示１を受け取った後で、ＭＧＣはＭＧＷにメッセージ２「特性をリザーブせよ」を送信する。このメッセージ２は、メディアゲートウェイに接続された「ターミネーションＢ」の特性（すなわちここではコーディング）を変更するという、メディアゲートウェイコントローラＭＧＣのメディアゲートウェイＭＧＷへの命令（指示）を含んでいる。メッセージ２を受け取った後で、ＭＧＷは同様に「ターミネーションＢ」のコネクションを介して別のＭＧＷにメッセージ３「ベアラを変更せよ（Modify Bearer）」を送信し、このメッセージ３はこの別のＭＧＷに「ターミネーションＢ」への有効コネクション区間のベアラの特性のそこでの変更を、例えばバンド幅のそこでの変更をもたらす。次いで、ＭＧＷはＭＧＣに「ベアラ変更済み（Berarer Modified）」メッセージ４によって成功を確認応答する。
【００２６】
さらに、指示４を受け取った後でＭＧＣはＭＧＷにメッセージ５「特性を変更せよ（Modify Characteristics）」を送信する。このメッセージ５は、メディアゲートウェイに接続された「ターミネーションＡ」の特性（すなわちここではコーディング）を変更するという、メディアゲートウェイコントローラＭＧＣのメディアゲートウェイＭＧＷへの命令（指示）をふくむ。さらに、ＭＧＷはここで「ターミネーションＡ」のコネクションを介して別のＭＧＷからメッセージ７「ベアラを変更せよ（Modify Bearer）」を受信する。なぜなら、この別のＭＧＷは「ターミネーションＢ」のコネクションに対するコーディングの予定された変更をここには図示されていないＭＧＣ／ＭＧＷへのＭＧＣのシグナリング６を介して知っているからである。場合によっては、ＭＧＣはここには図示されていない別のＭＧＣからこの別のＭＧＣにおける成功したコーデック変更に関するメッセージ８「コーデック変更成功（successfull codec modification）」を受け取る。
【００２７】
メッセージ９「特性を確認せよ（Confirm Characteristics）」によってＭＧＣはＭＧＷに新しい特性（コーデック）を保持すべきことを確認する。
【００２８】
図示されたＭＧＷにおける成功したコーデック変更に関するメッセージ１０「コーデック変更成功（successfull codec modification）」によって、ＭＧＣは（ここには図示されていない）他のＭＧＣに（図示されたＭＧＷにおける）成功したコーデック変更を確認応答する。
【００２９】
本発明によれば、上記のメッセージフローは次のように利用及び／又は変更されうる。３つの代替的な方法ａ）〜ｃ）を記述する。
【００３０】
ａ）ポイント１〜９ならびに１１及び１２による方法：
ＭＧＣがＭＧＷに新しい音声エレメントを用いてメッセージ２において、全ての接続されたターミネーションに対する命令（ここではメッセージ２及び５）の受信の後ではじめて必要なトランスコーディングに関する検査を実施し、必要な場合にはトランスコーダを挿入するように指示する。メッセージ３の送信の際にＭＧＷはターミネーションＢをアイソレートし、よってこのターミネーションＢを介して有効データは差し当たって伝達できない。メッセージ５の入力後に、ＭＧＷは、今や全てのターミネーションに対して命令が入力されたことを検出する。ＭＧＷは続いて新しいコーディングにおいてターミネーションＡとＢとの接続が可能であるかどうかを検査する。これが不可能である場合、ＭＧＷは５に対する受信確認において相応のエラーメッセージを送信する。この更なるエラーシグナリングはここには図示されていない。さもなければ、ＭＧＷは新しいコーディングを使用してターミネーションＡとＢとをメッセージ７の入力後に再び接続する。
【００３１】
ｂ）ポイント１〜７ならびに１０〜１２による方法：
ＭＧＣはＭＧＷに新しい音声エレメントを用いてメッセージ２において、接続されたターミネーションに対する相応にマーキングされた命令の受信の後ではじめて必要なトランスコーディングに関する検査を実施し、必要ならばトランスコーダを挿入するように指示する。メッセージ３の送信の際にＭＧＷはターミネーションＢをアイソレートし、よってこのターミネーションＢを介して有効データは差し当たって伝達できない。メッセージ５においてＭＧＣはＭＧＷに更なる新しい音声エレメントを用いて、上記の検査を実施するように指示する。ＭＧＷは続いて新しいコーディングにおいてターミネーションＡとＢとの接続が可能であるかどうかを検査する。これが不可能である場合、ＭＧＷは５に対する受信確認において相応のエラーメッセージを送信する。この更なるエラーシグナリングはここには図示されていない。さもなければ、ＭＧＷは新しいコーディングを使用してターミネーションＡとＢとをメッセージ７の入力後に再び接続する。
【００３２】
ｃ）ポイント１〜６ならびに１３〜１５による方法：
ＭＧＣはＭＧＷにメッセージ２の送信の直前にここには図示されていない付加的なメッセージ「アイソレート」を用いて、ターミネーションＢをアイソレートするように指示する。これに基づいて、ＭＧＷは有効データをターミネーションＢには転送せず、そこから有効データを受信もしない。メッセージ２の受信の際にＭＧＷは、ターミネーションＡにはトランスコーディングが必要であるかどうかを検査しない。なぜなら、２つのターミネーションは接続されていないからである。メッセージ５の確認の受信後に、しかもメッセージ６の送信の前に、ＭＧＣはＭＧＷにここには図示されていない付加的なメッセージ「ジョイン（Join）」を用いて、ターミネーションＢをターミネーションＡと接続するように指示する。ＭＧＷはこれに基づいて新しいコーディングにおいてターミネーションＡとＢとの接続が可能であるかどうかを検査する。これが不可能である場合、ＭＧＷは５に対する受信確認において相応のエラーメッセージを送信する。この更なるエラーシグナリングはここには図示されていない。さもなければ、ＭＧＷは新しいコーディングを使用してターミネーションＡとＢとをメッセージ７の入力後に再び接続する。上記のやり方の代わりに、付加的なメッセージ「アイソレート」及び「ジョイン」がそれぞれターミネーションＡに関連してもよい。
【図面の簡単な説明】
【００３３】
【図１】例示的に１つのコーディングからもう１つのコーディングへの有効コネクションの本発明による切り替えにおけるＢＩＣＣメッセージフローを示す。
【符号の説明】
【００３４】
ＭＧＣ  メディアゲートウェイコントローラ
ＭＧＷ  メディアゲートウェイ
【図１】
2005532719.tif 000003
【国際調査報告】
2005532719.tif 000004
2005532719.tif 000005
2005532719.tif 000006
2005532719.tif 000007
2005532719.tif 000008
2005532719.tif 000009